(57)【要約】【課題】本発明は、スラックス、スカート、スカーフ、ネクタイ等の被服類、それらを構成する素材、重さ等に対応して確実な保持力を発揮し、ハンガーに取付けと取外し作業が簡単に行え、商品をクリップの挟み力で損傷させることがない衣服用ハンガーの提供にある。【解決手段】フックを上端に備えた支持体にＶ字型ガイド部を設け、該Ｖ字型ガイド部に、互いに対応させて連接する挟持面を備えた一対の挟持体をスライド可能に配し、両挟持体の挟持面の間にスラックス等の上縁等を挟み、挟持体の自重及びスラックス等の重量による移動作用を両挟持体の挟持面に、挟持面の滑り止め処理による摩擦力で伝達し、両挟持体の挟持面によりスラックス、スカート、スカーフ、ネクタイ等の被服類の上縁及びその他を挟持してなる。【選択図】図１
2007301245.tif 000002
【特許請求の範囲】
【請求項１】
フックを上端に備えた支持体にＶ字ガイドラインを持つＶ字型ガイド部を設け、該Ｖ字型ガイド部に、互いに対応させて連接する挟持面を備えた一対の挟持体をスライド可能に配し、両挟持体の挟持面の間にスラックス、スカート等の衣服類の上縁等を挟み、挟持体の自重及びスラックス、スカート等の衣服類の重量による移動作用を両挟持体の挟持面に、挟持面の滑り止め処理による摩擦力で伝達し、両挟持体の挟持面によりスラックス、スカート等の衣服類の上縁等を挟持してなる衣服用ハンガー。
【請求項２】
前記Ｖ字型ガイド部のＶ字ガイドラインは、その中心から前後に二分する垂線上を交点とし、その交点から前後の両側に立ち上がる角が、前記垂線上の交点を横断する水平線より４５度乃至８０度のＶ字角度に設けてなる請求項１の衣服用ハンガー。
【請求項３】
前記一対の挟持体の挟持面における滑り止め処理は、シリコンゴム、熱可塑性のエラストマー又は表面に凹凸模様を施してなる請求項１又は請求項２の衣服用ハンガー。
【請求項４】
請求項１、請求項２又は請求項３の衣服用ハンガーは、前後どちらかの挟持体を手でＶ字型ガイド部のＶ字ガイドラインに沿って押し上げると挟持体の挟持面が開き、スラックス、スカート等の衣服類を簡単に取り外せることを特徴とする衣服用ハンガー。
【請求項５】
請求項１、請求項２、請求項３又は請求項４の構成を有するスカーフ、ネクタイ等を展示する衣服用ハンガー。
【発明の詳細な説明】
【技術分野】
【０００１】
本発明は、スラックス、スカート等の衣服類を展示に適する衣服用ハンガーに関するものである。
【背景技術】
【０００２】
従来、スラックス、スカート等の衣服類を販売する際に、図８に示すような展示用の衣服用ハンガー９としては、クリップ１０、１０が配備され、この部分にスラックス、スカートの上縁を挟み吊す型のハンガーが一般に使用されている。公知文献上では、同じクリップ型のハンガーとしては、実用新案登録第３０３７２３１号公報、同じく二列型クリップハンガーとしては、特開平８−２９９１４８号公開公報等の多数の提案がなされている。
【０００３】
スラックス、スカート等の衣服類は、素材、織り方、デザイン、重さ等の種類が多く、展開した全体の展示が必要であり、また、展示時に、商品の重さ、取り扱いにより簡単に脱落してはならなく、確実な摩擦力による挟み保持力が必要になる。その上、試着時には、ハンガーから簡単に外せることが求められる。
【０００４】
前記挟み込み力はクリップを閉じる為のバネ力によるものであり、弱い場合はスラックスの脱落を起こすから強いバネ力が必要となってくる。それに伴いクリップを開く力も強くなり、大量の商品を展示するためにクリップを開くための作業は指先に大きな負担をもたらすものとなる。また、強い力で挟み込まれたスラックス、スカート等の衣服類は、クリップ部分の押え込みにより生地が潰れ、皺等が発生して商品価値を低下させるものであった。
【特許文献１】実用新案登録第３０３７２３１号公報
【特許文献２】特開平８−２９９１４８号公開公報
【発明の開示】
【発明が解決しようとする課題】
【０００５】
本発明は、スラックス、スカート等の衣服類を構成する素材、重さ等に対応して挟み込み力が変化し、そのスラックス、スカート等の衣服類の軽いものは弱く、重いものは強く対応して確実な保持力を発揮し、また、容易に挟み力を解除することでハンガーに取付けと取外し作業を簡単に行え、さらに、商品をクリップの挟み力で損傷させることがないスラックス、スカート等の衣服類を販売展示に適する衣服用ハンガーの提供にある。
【課題を解決するための手段】
【０００６】
前記課題を解決するために本発明では、フックを上端に備えた支持体にＶ字ガイドラインを持つＶ字型ガイド部を設け、該Ｖ字型ガイド部に、互いに対応させて連接する挟持面を備えた一対の挟持体をスライド可能に配し、両挟持体の挟持面の間にスラックス、スカート等の衣服類の上縁等を挟み、挟持体の自重及びスラックス、スカート等の衣服類等の重量による移動作用を両挟持体の挟持面に、挟持面の滑り止め処理による摩擦力で伝達し、両挟持体の挟持面によりスラックス、スカート等の衣服類の上縁等を挟持してなる衣服用ハンガーにある。
【０００７】
前記Ｖ字型ガイド部のＶ字ガイドラインは、その中心から前後に二分する垂線上を交点とし、その交点から前後の両側に立ち上がる角が、前記垂線上の交点を横断する水平線より４５度乃至８０度のＶ字角度に設けてもよいものである。
【０００８】
前記一対の挟持体の挟持面における滑り止め処理は、シリコンゴム、熱可塑性のエラストマー又は表面に凹凸模様等を施してもよいものである。
【０００９】
前記衣服用ハンガーは、前後どちらかの挟持体を手でＶ字型ガイド部のＶ字ガイドラインに沿って押し上げると挟持体の挟持面が開き、スラックス、スカート等の衣服類を簡単に取り外せることを特徴とするものである。
【００１０】
前記衣服用ハンガーは、スカーフ、ネクタイ等を展示してもよいものである。
【発明の効果】
【００１１】
本発明の衣服用ハンガーは、前述のように構成されるから、一対の挟持体はＶ字型ガイド部に沿ってスライドさせることができ、スラックス、スカート等の衣服類を挟み込ませるには、スラックスの両端を持ち挟持体の下面を押し上げて上昇させると挟持面を両側に開くことができ、その内側にスラックスを挟み込むことができ、その状態でスラックス、スカート等の衣服類を離すと、スラックスは落下を始めるが、スラックス、スカート等の衣服類の表面と挟持体の挟持面の滑り止め処理の摩擦力で挟持体もスラックス、スカート等の衣服類の落下方向に対して横断方向に移動して挟持面の隙間を狭めてスラックス等を押え込む力となるから、スラックス、スカート等の衣服類を簡単、容易に展示することができるのである。
【００１２】
また、Ｖ字型ガイド部にスライド自在の一対の挟持体は、スラックス、スカート等の衣服類に対して落下方向に大きな力が加えられると、スラックス、スカート等の衣服類等に対し挟持体の挟持面の隙間を狭める方向に移動するから落下方向の力は挟持圧に変換し、強い力でスラックス、スカート等の衣服類を押さえ込む力となり、このことは、展示中の移動、購入者の商品評価作業等における引っ張り等、種々の外力を受けてもスラックス、スカート等の衣服類が衣服用ハンガーから落下することがない優れた保持機能を奏するものである。
【００１３】
前記本発明の衣服用ハンガーに保持されたスラックス、スカート等の衣服類を外すには、挟持体のいずれかを上昇させることで、スラックス、スカート等の衣服類を挟み込む力が解除され簡単に外すことができる。
【発明を実施するための最良の形態】
【００１４】
上端がフックに形成される支持体に、その中心から前後に二分する垂線上を交点とし、その交点から前後の両側に立ち上がる角が、前記垂線上の交点を横断する水平線より６０度のＶ字ガイドラインを持つＶ字型ガイド部を設け、該Ｖ字型ガイド部のＶ字ガイドラインと垂線上の交点において両側から接面する挟持面をもつ挟持体をスライド自在に支架し、両挟持体の挟持面の間にスラックスの上縁を挟み、挟持体の自重及びスラックスの重量による移動作用を両挟持体の挟持面に、挟持面のシリコンゴム滑り止め処理による摩擦力で伝達し、両挟持体の挟持面によりスラックスの上縁を挟持してなる衣服用ハンガー。
【実施例】
【００１５】
以下、本発明の衣服用ハンガーを図面に示す実施例により説明すると、図１、図２及び図３に示すように、本発明の第１実施例の衣服用ハンガー１は、上端にフック２を備えた支持体３に、前後に一対の挟持体４ａ、４ｂをスライド自在にガイドするＶ字ガイドラインを持つ前後に一対のガイド部５ａ、５ｂからなるＶ字型ガイド部５が設けられている。
【００１６】
前記第１実施例では、前後に一対であるガイド部５ａ、５ｂからなるＶ字型ガイド部５は、左右に一体に配置しており、又、左右の前側のガイド部５ａ、５ａに配備する挟持体４ａ、４ａについても左右に一体に形成されており、そして一体の挟持体４ａ、４ａは、コ字形連結棒６ａにより連結される共にコ字形連結棒６ａの縦棒部６ａ１、６ａ１が前記Ｖ字ガイドラインの前側を構成するガイド部５ａ、５ａのガイド孔５ａ１、５ａ１に遊嵌し、このガイド孔５ａ１、５ａ１に沿ってスライド自在に支承されている。また、前記左右の後側のガイド部５ｂ、５ｂに配備する挟持体４ｂ、４ｂについても同様に、コ字形連結棒６ｂにより連結される共にコ字形連結棒６ｂの縦棒部６ｂ１、６ｂ１がＶ字ガイドラインの前側を構成するガイド部５ｂ、５ｂのガイド孔５ｂ１、５ｂ１に遊嵌し、このガイド孔５ｂ１、５ｂ１に沿ってスライド自在に支承されている。
【００１７】
前記前側の挟持体４ａの挟持面４ａ１及び後側の挟持体４ｂの挟持面４ｂ１には、シリコンゴムの滑り止め処理７を図３に示すように施している。
【００１８】
前記滑り止め処理７は、前記シリコンゴムに限定されるものではなく、熱可
塑性のエラストマーであっても、又図示しないが、表面に凹凸模様を施してもよいものである。
【００１９】
本発明の第１実施例の衣服用ハンガー１は、前述のように構成されるので、図４に示すように、前後に一対の挟持体４ａ、４ｂを開くには、下方か上昇させるとＶ字型ガイド部５の前後のガイド部５ａ、５ｂのガイド孔５ａ１、５ｂ１に沿って上昇し、挟持体４ａ、４ｂを前後に開くことができる。
【００２０】
即ち、図４（ａ）に示すように、例えば、スラックス８の両端を持ち、前後の挟持体４ａ、４ｂを上昇させると、挟持体４ａ、４ｂは両側に移動して夫々の挟持面４ａ１、４ｂ１を両側に開くものである。次に、図４（ｂ）に示すように、スラックス８の両端から手を離した時、前後の挟持体４ａ、４ｂは、その自重でＶ字型ガイド部５の前後のガイド部５ａ、５ｂのガイド孔５ａ１、５ｂ１に従ってコ字形連結棒６ａ、６ｂの縦棒部６ａ１、６ｂ１を下方にスライドさせて降下し、前後の挟持体４ａ、４ｂの挟持面４ａ１、４ｂ１を圧接してスラックス８の上縁を挟持する。この挟持時に前後の挟持体４ａ、４ｂの挟持面４ａ１、４ｂ１の滑り止め処理による摩擦力を介して下降移動力を前後の挟持体４ａ、４ｂに伝達するので、スラックス８の自重が前後の挟持体４ａ、４ｂの挟み込む力として働くものである。
【００２１】
次に、挟み込まれたスラックス８を外す時には、前後の挟持体４ａ、４ｂのどちらかを上昇させると、Ｖ字型ガイド部５の前後のガイド部５ａ、５ｂのガイド孔５ａ１、５ｂ１に沿って挟持体４ａ、４ｂの挟持面４ａ１、４ｂ１が開き、スラックス８に掛かる挟み込み力が解放され自由に取出すことができる。
【００２２】
図４（ａ）（ｂ）（ｃ）の図上における細線矢印は、前後の挟持体４ａ、４ｂのモーメント方向を示すものである。
【００２３】
前記本発明の第１実施例の衣服用ハンガー１として、Ｖ字型ガイド部５の前後のガイド部５ａ、５ｂのＶ字ガイドラインをガイド孔５ａ１、５ｂ１による構成で説明したが、前記ガイド孔５ａ１、５ｂ１に限定するものではなく、ガイド部５ａ、５ｂを棒体に構成し、前後の挟持体４ａ、４ｂを孔部に構成してもよいものである。又、前後のガイド部５ａ、５ｂの棒体を平形、三角形、四角形の多角形若しくは周面に突条を設けたものでもよく、この棒体の外周形状に適合する孔及び孔の内径面に溝を挟持体４ａ、４ｂに設け、スライド自在に嵌合して挟持体４ａ、４ｂが回転しないように構成してもよいものである。
【００２４】
次に、本発明の第２実施例の衣服用ハンガー１１について説明すると、該衣服用ハンガー１１は、図５〜図７に示すように、上端にフック１２を備えた支持体１３には、Ｖ字ガイドラインを持つ前後に一対のガイド部１５ａ、１５ｂからなるＶ字型ガイド部１５が設けられ、前記ガイド部１５ａ、１５ｂに、前後に一対の挟持体１４ａ、１４ｂをスライド自在に支承されている。
【００２５】
前記第２実施例の衣服用ハンガー１１は、図面上では、前記Ｖ字型ガイド部１５が支持体１３の左右に一体に設けられているが、独立に設けてもよいものである。そして前記前後に一対の挟持体１４ａ、１４ｂは、コ字形の支軸１６ａ、１６ｂが夫々配備され、該コ字形の支軸１６ａ、１６ｂの夫々の縦軸部１６ａ１、１６ｂ１が前記Ｖ字型ガイド部１５のガイド部１５ａ、１５ｂにおいて並設する前側のカイド孔１５ａ１、１５ａ１と後側のカイド孔１５ｂ１、１５ｂ１に夫々遊嵌挿され、夫々独立にスライド自在に支承されている。
【００２６】
前記前側の挟持体１４ａの挟持面１４ａ１及び後側の挟持体１４ｂの挟持面１４ｂ１には、第１実施例と同様にシリコンゴムの滑り止め処理１７が図７に示すように施されている。
【００２７】
前記滑り止め処理１７は、第１実施例と同様に、前記シリコンゴムに限定されるものではなく、熱可塑性のエラストマーであっても、又図示しないが、表面に凹凸模様を施してもよいものである。
【００２８】
前記本発明の第２実施例の衣服用ハンガー１１においても、Ｖ字型ガイド部１５の前後のガイド部１５ａ、１５ｂを並列するＶ字ガイドラインをガイド孔１５ａ１、１５ａ１、１５ｂ１、１５ｂ１による構成で説明したが、前記ガイド孔１５ａ１、１５ａ１、１５ｂ１、１５ｂ１に限定するものではなく、ガイド部１５ａ、１５ｂを棒体に構成し、前後の挟持体１４ａ、１４ｂのコ字形の支軸１６ａ、１６ｂを孔部に構成してもよいものである。又、前後のガイド部１５ａ、１５ｂの棒体を平形、三角形、四角形の多角形若しくは周面に突条を設けたものでもよく、この棒体の外周形状に適合する孔及び孔の内径面に溝を挟持体１４ａ、１４ｂに設け、挟持体１４ａ、１４ｂをスライド自在に嵌合して回転しないように構成してもよいものである。
【００２９】
本発明の第２実施例の衣服用ハンガー１１の挟持作用については、第１実施例の衣服用ハンガー１１と同じであるが、支持体１３において、左右に配備されたＶ字型ガイド部１５にガイドされる前後に一対の挟持体１４ａ、１４ｂが独立にスライドして挟持作用を行えるので、スラックス、スカート等の衣服類の厚みが左右で相違しても独立に厚みに対応することができ、スラックス、スカート等の衣服類を確実に保持することができるものである。
【００３０】
前記本発明の第１、２実施例の衣服用ハンガー１、１１において、Ｖ字型ガイド部のＶ字ガイドラインは、その中心から前後に二分する垂線上を交点とし、その交点から前後の両側に立ち上がる角が、前記垂線上の交点を横断する水平線より６０度のものを説明したが、これは、展示条件及びスラックス、スカート等の衣服類により適切な保持力を得るため４５度乃至８０度の範囲で選択することができるものである。
【産業上の利用可能性】
【００３１】
本発明は、前述のようになるので、従来の衣服用ハンガー、スタンド等に簡単に付設することでき、また、挟み込み等の特別な力で押えこまないので衣服に跡付きが起きない等の優れた効果を奏するものである。
【図面の簡単な説明】
【００３２】
【図１】本発明の衣服用ハンガーの第１実施例を示す正面図である。
【図２】第１実施例を示す側面図である。
【図３】図２のＡ−Ａ線視による挟持体の挟持面の滑り止め処理の実施例を示す部分内面図である。
【図４】（ａ）（ｂ）（ｃ）本発明の第１実施例の挟み保持作用を説明する説明図である。
【図５】本発明の衣服用ハンガーの第２実施例を示す正面図である。
【図６】同じく、第２実施例を示す側面図である。
【図７】図６のＢ−Ｂ線視による挟持体の挟持面の滑り止め処理の実施例を示す部分内面図である。
【図８】従来のクリップ型衣服用ハンガーを示す正面図である。
【符号の説明】
【００３３】
１  第１実施例の衣服用ハンガー
２  フック
３  支持体
４ａ  挟持体
４ａ１  挟持面
４ｂ  挟持体
４ｂ１  挟持面
５  Ｖ字型ガイド部
５ａ  ガイド部
５ａ１  ガイド孔
５ｂ  ガイド部
５ｂ１  ガイド孔
６ａ  コ字形連結棒
６ａ１  縦棒部
６ｂ  コ字形連結棒
６ｂ１  縦棒部
７  滑り止め処理
８  スラックス
１１  第２実施例の衣服用ハンガー
１２  フック
１３  支持体
１４ａ  挟持体
１４ａ１  挟持面
１４ｂ  挟持体
１４ｂ１  挟持面
１５  Ｖ字型ガイド部
１５ａ  ガイド部
１５ａ１  カイド孔
１５ｂ  ガイド部
１５ｂ１  カイド孔
１６ａ  コ字形の支軸
１６ａ１  縦軸部
１６ｂ  コ字形の支軸
１６ｂ１  縦軸部
１７  滑り止め処理
【図１】
2007301245.tif 000003
【図２】
2007301245.tif 000004
【図３】
2007301245.tif 000005
【図４】
2007301245.tif 000006
【図５】
2007301245.tif 000007
【図６】
2007301245.tif 000008
【図７】
2007301245.tif 000009
【図８】
2007301245.tif 000010